(57)【要約】【課題】空気力学的な力を作用させる安定化部材の簡単な構成によって、記録／再生位置における良好なディスク面ぶれの低減化を実現する。【解決手段】空気力学的作用力を利用して、光ディスク１に対して面ぶれを抑制するために作用する安定化部材６を、光ディスク１の記録面とは反対側のディスク基板側に配設し、さらに前記安定化部材６を、光ディスク１の面内を光ピックアップ４が走査するために移動する動線Ｒと近接し、かつ光ディスク１の中心付近を通る直線（図では動線Ｒ上に記載したが、動線Ｒ近傍にあるものも含む）Ｚによって分けた２つの領域Ｓ１，Ｓ２の両方に、それぞれ一つずつ対称位置に配設する。【選択図】図１
2005259278.tif 000002
【特許請求の範囲】
【請求項１】
可撓性を有する記録ディスクを回転させ、安定化部材による空気力学的な力を利用して前記記録ディスクを安定化させて記録および／または再生を行う記録／再生装置において、
前記記録ディスクの面内を、記録／再生ヘッドが走査する動線に近接し、かつ前記記録ディスクの中心付近を通る直線Ｚによって分けた２つの領域に、それぞれ前記安定化部材による空気力学的な力の作用点を少なくとも１つ存在させたことを特徴とする記録／再生装置。
【請求項２】
前記記録ディスクの回転中心部分を保持部材に保持させたときに、該記録ディスクにおける前記安定化部材側を押して撓ませた場合に撓みが始まる支点位置を結んだ周部に対して、前記記録ディスクの中心付近を通る直線Ｚが交差する２点を通り、かつ前記直線Ｚに垂直な２つの直線Ｂ１，Ｂ２における前記記録／再生ヘッドに近い側の直線Ｂ１と遠い側の直線Ｂ２とにより挟まれた前記記録ディスク面上の領域に、前記安定化部材による前記記録ディスクに対する力の作用点の位置を設定したことを特徴とする請求項１記載の記録／再生装置。
【請求項３】
前記記録ディスクの回転中心部分を保持部材に保持させたときに、該記録ディスクにおいて前記安定化部材側を押して撓ませた場合に撓みが始まる支点位置を結んだ周部に対して、前記記録ディスクの中心付近を通る直線Ｚが交差する２点を通り、かつ前記直線に垂直な２つの直線Ｂ１，Ｂ２における前記記録／再生ヘッドに近い側の直線Ｂ１と遠い側の直線Ｂ２とにより挟まれた前記記録ディスク面上の領域内の前記直線Ｂ１の近傍に、前記安定化部材によるディスクに対する力の作用点の位置を設定したことを特徴とする請求項１記載の記録／再生装置。
【請求項４】
前記２つの領域にそれぞれ存在する少なくとも１つずつの前記安定化部材が対をなし、かつ該安定化部材による前記記録ディスク面に対する力の作用点が前記直線Ｂ１あるいはＢ２の平行線上に位置するように設定したことを特徴とする請求項１記載の記録／再生装置。
【請求項５】
可撓性を有する記録ディスクを回転させ、安定化部材による空気力学的な力を利用して前記記録ディスクを安定化させて記録および／または再生を行う記録／再生装置において、
前記記録ディスクの面内を、記録／再生ヘッドが走査する動線に近接し、かつ該記録ディスクの中心付近を通る直線Ｚを起点として、略４５度間隔で８つの領域（Ａ，Ｂ，Ｃ，Ｄ，Ｅ，Ｆ，Ｇ，Ｈ）に分け、前記直線Ｚに対応する位置に前記記録／再生ヘッドを配設し、かつ前記起点から略４５度〜略９０度の領域Ｂ内、および前記起点から略９０度〜略１３５度の領域Ｃ内、および前記起点から略２２５度〜略２７０度の領域Ｆ内、および前記起点から略２７０度〜略３１５度の領域Ｇ内における前記記録ディスクが可撓性を呈する部位に、それぞれ安定化部材による空気力学的な力の作用点を少なくとも１つ存在させたことを特徴とする記録／再生装置。
【請求項６】
前記領域Ｂに存在する前記安定化部材による空気力学的な力の作用点を、前記起点から略４５度の領域Ａと当該領域Ｂとの境界近傍に配置し、かつ前記領域Ｇに存在する前記安定化部材による空気力学的な力の作用点を、略３１５度から前記起点までの領域Ｈと当該領域Ｇとの境界近傍に配置したことを特徴とする請求項５記載の記録／再生装置。
【請求項７】
前記領域Ｂ内における前記安定化部材による空気力学的な力の作用点と、前記領域Ｇ内における前記安定化部材による空気力学的な力の作用点とを、前記直線Ｚを挟んで対象位置に配置したことを特徴とする請求項５記載の記録／再生装置。
【請求項８】
前記領域Ｃ内における前記安定化部材による空気力学的な力の作用点と、前記領域Ｆ内における前記安定化部材による空気力学的な力の作用点とを、前記直線Ｚを挟んで対象位置に配置したことを特徴とする請求項５記載の記録／再生装置。
【請求項９】
前記領域Ｂ内における前記安定化部材による空気力学的な力の作用点と、前記領域Ｃ内における前記安定化部材による空気力学的な力の作用点とを結んだ直線、および前記領域Ｆ内における前記安定化部材による空気力学的な力の作用点と、前記領域Ｇ内における前記安定化部材による空気力学的な力の作用点とを結んだ直線が、それぞれ前記直線Ｚと平行になるように前記作用点を配置したことを特徴とする請求項５記載の記録／再生装置。
【請求項１０】
前記記録／再生ヘッドの前記記録ディスクに対向する面における、少なくともディスク円周方向の主形状を凸状曲面としたことを特徴とする請求項１または５記載の記録／再生装置。
【請求項１１】
前記作用点を前記記録ディスク面上において対称位置にあるように設定したことを特徴とする請求項１〜９いずれか１項記載の記録／再生装置。
【請求項１２】
前記安定化部材を装置本体における筐体に設置したことを特徴とする請求項１〜９いずれか１項記載の記録／再生装置。
【請求項１３】
前記安定化部材と前記記録ディスクの回転中心部分を保持する保持部材との相対位置を固定したことを特徴とする請求項１２記載の記録／再生装置。
【請求項１４】
請求項１〜９のいずれか１項記載の安定化部材以外に安定化部材が設置された場合、請求項１〜９のいずれか１項記載のように設定された安定化部材にて前記記録ディスクから受ける対向力が、全ての安定化部材の中で最大となるようにしたことを特徴とする記録／再生装置。
【請求項１５】
可撓性を有する記録ディスクが収納され、該記録ディスクの回転時、安定化部材による空気力学的な力を利用して少なくとも記録／再生位置付近における前記記録ディスクの面ぶれを抑制する安定化部材を備えたディスクカートリッジにおいて、
前記記録ディスクの面内を、記録／再生ヘッドが走査する動線に近接し、かつ前記記録ディスクの中心付近を通る直線Ｚによって分けた２つの領域に、それぞれ前記安定化部材による空気力学的な力の作用点を少なくとも１つ存在させたことを特徴とするディスクカートリッジ。
【請求項１６】
可撓性を有する記録ディスクが収納され、該記録ディスクの回転時、安定化部材による空気力学的な力を利用して少なくとも記録／再生位置付近における前記記録ディスクの面ぶれを抑制する安定化部材を備えたディスクカートリッジにおいて、
前記記録ディスクの面内を、記録／再生ヘッドが走査する動線に近接し、かつ該記録ディスクの中心付近を通る直線Ｚを起点として、略４５度間隔で８つの領域（Ａ，Ｂ，Ｃ，Ｄ，Ｅ，Ｆ，Ｇ，Ｈ）に分け、前記起点から略４５度〜略９０度の領域Ｂ内および前記起点から略９０度〜略１３５度の領域Ｃ内と、前記起点から略２２５度〜略２７０度の領域Ｆ内および前記起点から略２７０度〜略３１５度の領域Ｇ内の前記記録ディスクが可撓性を呈する部位に、それぞれ安定化部材による空気力学的な力の作用点を少なくとも１つ存在させたことを特徴とするディスクカートリッジ。
【請求項１７】
前記安定化部材を内壁に設けたことを特徴とする請求項１６記載のディスクカートリッジ。
【請求項１８】
前記安定化部材の位置を調整可能にしたことを特徴とする請求項１６または１７記載のディスクカートリッジ。
【発明の詳細な説明】
【技術分野】
【０００１】
本発明は、可撓性を有する記録ディスクに対して記録および／または再生処理を行う記録／再生装置、およびその記録ディスクを収納するディスクカートリッジに関するものである。
【背景技術】
【０００２】
近年、テレビ放送のデジタル化が始まるなど、大容量のデジタルデータを記録することが情報記録媒体に求められている。例えば、光ディスクの分野においては、記録／再生のために光ディスクに集光される光スポット径を小さくすることが、高密度化のための基本的な方法の一つに挙げられる（以下、光ディスクとして説明するが、本発明が対象とする記録／再生装置に用いられる記録ディスクは、相変化メモリ，光磁気メモリ，ホログラムメモリなどのディスク状の記録ディスクで活用するものすべてを対象にし、特に光ディスクに限定するものではない）。
【０００３】
このため、光ディスクの高密度化においては、記録／再生のために用いられる光の波長を短く、かつ対物レンズの開口数ＮＡを大きくすることが有効である。光の波長についてはＣＤ（ｃｏｍｐａｃｔ  ｄｉｓｋ）では近赤外光の７８０ｎｍ、ＤＶＤ（ｄｉｇｉｔａｌ  ｖｅｒｓａｔｉｌｅ  ｄｉｓｋ）では赤色光の６５０ｎｍ近傍の波長が用いられている。最近、青紫光の半導体レーザが開発され、今後は４００ｎｍ近傍のレーザ光が使用されると予想される。
【０００４】
また、対物レンズについては、ＣＤ用はＮＡ０．５未満であったが、ＤＶＤ用はＮＡ０．６程度である。今後、さらに開口数（ＮＡ）を大きくしてＮＡ０．７以上とすることが求められる。しかし、対物レンズのＮＡを大きくすること、および光の波長を短くすることは、光を絞るときに収差の影響が大きくなることでもある。したがって、光ディスクのチルトに対するマージンが減ることになる。また、ＮＡを大きくすることによって焦点深度が小さくなるため、フォーカスサーボ精度を上げなくてはならない。
【０００５】
さらに、高ＮＡの対物レンズを使用することによって、対物レンズと光ディスクの記録面との距離が小さくなってしまうため、光ディスクの面ぶれを小さくしておかないと、始動時のフォーカスサーボを引き込む直前、対物レンズと光ディスクとが衝突することがあり、ピックアップの故障の原因となる。
【０００６】
短波長，高ＮＡの大容量光ディスクとして、例えば非特許文献１に記載されているように、ＣＤと同程度に厚く、かつ剛性の大きい基板に記録膜を成膜し、記録／再生用の光を基板を通さずに、薄いカバー層内を通して記録膜に対して記録／再生する構成のシステムが提案されている。
【０００７】
また、例えば特許文献１〜３に記載されているように、空気力学的作用力を利用して光ディスクにおける面ぶれを安定化させるため、安定化部材に対向させて可撓性を有する光ディスクを回転させる構成の記録／再生装置が知られている。
【特許文献１】特開平７−１０５６５７号公報
【特許文献２】特開平１０−３０８０５９号公報
【特許文献３】米国特許出願公開第２００２／０１８６６３６号明細書
【非特許文献１】オー・プラス・イー（Ｏ  ＰＬＵＳ  Ｅ）第２０巻，第２号，Ｐ．１８３ページ
【非特許文献２】「オプティカル・リードアウト・オブ・ビデオディスク」  アイイーイーイー・トランザクション・オン・コンシューマー・エレクトロニクス（“ＯＰＴＩＣＡＬ  ＲＥＡＤＯＵＴ  ＯＦ  ＶＩＤＥＯＤＩＳＣ”，ＩＥＥＥ  ＴＲＡＮＳＡＣＴＩＯＮ  ＯＮ  ＣＯＮＳＵＭＥＲ  ＥＬＥＣＴＲＯＮＩＣＳ），１９７６年１１月、Ｐ．３０４−３０８
【発明の開示】
【発明が解決しようとする課題】
【０００８】
しかしながら、前記従来の技術において、光ディスクの基板を剛体で形成すると、回転する光ディスクにおける面ぶれ，チルトを小さくするためには、きわめて正確な成形をし、かつ熱変形が生じないように低温で記録膜を成膜しなければならない。このことは、光ディスク製造に係るタクトタイムを長くすることになり、コストを上げる原因となる。
【０００９】
また、特許文献１〜３に記載されている構成の中で、可撓性を有する光ディスクを安定板上で回転させる構成では、光ディスクと安定化板が接して摺動する危険性が高く、ディスク面あるいは安定化板面が傷ついてしまうという問題がある。この摺動により、発塵を引き起こして、その塵埃などがエラーを発生させる原因となる。
【００１０】
安定化板を用いる方法の一つとして、非特許文献２に記載されているような方法もある。この方法においては、スムージング・プレート（ｓｍｏｏｔｈｉｎｇ  ｐｌａｔｅｓ）と称される安定化板とディスクの間に空気力学的な力が働くことが前提となっているが、例えば、ディスクが、この安定化板から離れる方向に反った形状である場合には、この空気力学的な力が有効に作用せず、ディスクの面ぶれを制御することはできなくなる。また、この空気力学的な力の発現には、重力によってディスクが垂れる現象も利用しているため、ドライブ装置の縦置きなどには対応することができない。
【００１１】
これらの問題を解決するための１つの手段として、本発明者は、特許文献３において、光ディスクとの対向面が円弧状をなす円柱状の安定化ガイド部材を用い、光ディスクにおける安定化ガイド部材による空気圧の作用による面ぶれが安定する部位におけるディスク回転方向上流側と下流側とに空気圧の作用を生じさせない領域（安定化ガイド部材がない空間部）を設けて、面ぶれを安定化させた部位の前後位置に光ディスクに「逃げ」となる部分を存在させ、面ぶれを安定化させた部位での光ディスクにおける反発力を小さくすることにより、空気力による安定化力の効果を増大させる発明を提案した。
【００１２】
特許文献３の発明によれば、可撓性光ディスクの面ぶれを確実に抑制し、高密度の記録を可能にし、また対物レンズとの摺接などの不具合の発生を防ぐことが可能となるが、反面、実際上において、安定化ガイド部材と記録再生ヘッドとの複雑な位置調整制御が必要となるため、ドライブ制御系の負荷が大きくなるばかりでなく、装置コストがかなり高価なものになってしまう。
【００１３】
本発明の目的は、前記課題を解決し、空気力学的な力を作用させる安定化部材の簡単な構成によって、記録／再生位置における良好なディスク面ぶれの低減を実現する記録／再生装置およびディスクカートリッジを提供することにある。
【課題を解決するための手段】
【００１４】
前記目的を達成するため、請求項１に記載の発明は、可撓性を有する記録ディスクを回転させ、安定化部材による空気力学的な力を利用して前記記録ディスクを安定化させて記録および／または再生を行う記録／再生装置において、前記記録ディスクの面内を、記録／再生ヘッドが走査する動線に近接し、かつ前記記録ディスクの中心付近を通る直線Ｚによって分けた２つの領域に、それぞれ前記安定化部材による空気力学的な力の作用点を少なくとも１つ存在させたことを特徴とし、この構成によって、記録ディスクが回転している状態における、記録／再生ヘッドがスキャンする半径方向のディスク形状を概略直線状にするとともに、同直線領域におけるディスク面ぶれを安定化することができる。この直線領域は、記録ディスクを理想平面と仮定した場合のディスク基準面近傍に形成されるため、記録／再生ヘッドを走査する位置を容易に特定することができ、簡易的な動作制御により所望位置への記録／再生を行うことが可能となる。
【００１５】
請求項２に記載の発明は、請求項１記載の記録／再生装置において、記録ディスクの回転中心部分を保持部材に保持させたときに、該記録ディスクにおける安定化部材側を押して撓ませた場合に撓みが始まる支点位置を結んだ周部に対して、前記記録ディスクの中心付近を通る直線Ｚが交差する２点を通り、かつ前記直線Ｚに垂直な２つの直線Ｂ１，Ｂ２における記録／再生ヘッドに近い側の直線Ｂ１と遠い側の直線Ｂ２とにより挟まれた前記記録ディスク面上の領域に、前記安定化部材による前記記録ディスクに対する力の作用点の位置を設定したことを特徴とし、この構成によって、記録／再生ヘッドがスキャンする半径方向のディスク形状を直線状にするとともに、同直線領域におけるディスク面ぶれを安定化することができる。
【００１６】
請求項３に記載の発明は、請求項１記載の記録／再生装置において、記録ディスクの回転中心部分を保持部材に保持させたときに、該記録ディスクにおいて安定化部材側を押して撓ませた場合に撓みが始まる支点位置を結んだ周部に対して、前記記録ディスクの中心付近を通る直線Ｚが交差する２点を通り、かつ前記直線に垂直な２つの直線Ｂ１，Ｂ２における記録／再生ヘッドに近い側の直線Ｂ１と遠い側の直線Ｂ２とにより挟まれた前記記録ディスク面上の領域内の前記直線Ｂ１の近傍に、前記安定化部材によるディスクに対する力の作用点の位置を設定したことを特徴とし、この構成によって、記録／再生ヘッドの設定位置におけるディスク面ぶれをより低減させることができる。
【００１７】
請求項４に記載の発明は、請求項１記載の記録／再生装置において、２つの領域にそれぞれ存在する少なくとも１つずつの安定化部材が対をなし、かつ該安定化部材による記録ディスク面に対する力の作用点が直線Ｂ１あるいはＢ２の平行線上に位置するように設定したことを特徴とし、この構成によって、記録／再生ヘッドがスキャンする半径方向のディスク形状の直線性を向上させることができる。
【００１８】
請求項５に記載の発明は、可撓性を有する記録ディスクを回転させ、安定化部材による空気力学的な力を利用して前記記録ディスクを安定化させて記録および／または再生を行う記録／再生装置において、前記記録ディスクの面内を、記録／再生ヘッドが走査する動線に近接し、かつ該記録ディスクの中心付近を通る直線Ｚを起点として、略４５度間隔で８つの領域（Ａ，Ｂ，Ｃ，Ｄ，Ｅ，Ｆ，Ｇ，Ｈ）に分け、前記直線Ｚに対応する位置に前記記録／再生ヘッドを配設し、かつ前記起点から略４５度〜略９０度の領域Ｂ内、および前記起点から略９０度〜略１３５度の領域Ｃ内、および前記起点から略２２５度〜略２７０度の領域Ｆ内、および前記起点から略２７０度〜略３１５度の領域Ｇ内における前記記録ディスクが可撓性を呈する部位に、それぞれ安定化部材による空気力学的な力の作用点を少なくとも１つ存在させたことを特徴とし、この構成によって、記録ディスクが回転している状態における、記録／再生ヘッドがスキャンする半径方向のディスク形状を概略直線状にするとともに、同直線領域におけるディスク面ぶれを安定化することができる。この直線領域は、記録ディスクを理想平面と仮定した場合のディスク基準面近傍に形成されるため、記録／再生ヘッドを走査する位置を容易に特定することができ、簡易的な動作制御により所望位置への記録／再生を行うことが可能となる。
【００１９】
請求項６に記載の発明は、請求項５記載の記録／再生装置において、領域Ｂに存在する安定化部材による空気力学的な力の作用点を、起点から略４５度の領域Ａと当該領域Ｂとの境界近傍に配置し、かつ領域Ｇに存在する安定化部材による空気力学的な力の作用点を、略３１５度から前記起点までの領域Ｈと当該領域Ｇとの境界近傍に配置したことを特徴とし、この構成によって、記録／再生ヘッドがスキャンする半径方向のディスク形状を直線状にするとともに、同直線領域におけるディスク面ぶれを安定化することができる。
【００２０】
請求項７に記載の発明は、請求項５記載の記録／再生装置において、領域Ｂ内における安定化部材による空気力学的な力の作用点と、領域Ｇ内における安定化部材による空気力学的な力の作用点とを、直線Ｚを挟んで対象位置に配置したことを特徴とし、この構成によって、記録／再生ヘッドがスキャンする半径方向のディスク形状の直線性を向上させることができる。
【００２１】
請求項８に記載の発明は、請求項５記載の記録／再生装置において、領域Ｃ内における安定化部材による空気力学的な力の作用点と、領域Ｆ内における安定化部材による空気力学的な力の作用点とを、直線Ｚを挟んで対象位置に配置したことを特徴とし、この構成によって、記録／再生ヘッドがスキャンする半径方向のディスク形状の直線性を向上させることができる。
【００２２】
請求項９に記載の発明は、請求項５記載の記録／再生装置において、前記領域Ｂ内における前記安定化部材による空気力学的な力の作用点と、前記領域Ｃ内における前記安定化部材による空気力学的な力の作用点とを結んだ直線、および前記領域Ｆ内における前記安定化部材による空気力学的な力の作用点と、前記領域Ｇ内における前記安定化部材による空気力学的な力の作用点とを結んだ直線が、それぞれ前記直線Ｚと平行になるように前記作用点を配置したことを特徴とし、この構成によって、記録／再生ヘッドがスキャンする半径方向のディスク形状の直線性をより向上させることができる。
【００２３】
請求項１０に記載の発明は、請求項１または５記載の記録／再生装置において、記録／再生ヘッドの記録ディスクに対向する面における、少なくともディスク円周方向の主形状を凸状曲面としたことを特徴とし、この構成により、記録ディスクに対する空気力学的な作用力を、記録／再生ヘッドにも持たせられるようになる。これにより、記録再生を行う位置におけるディスク面ぶれを低減する効果を奏することが可能となり、小さい面ぶれのディスク面に対して記録再生の動作を行うことが可能となる。
【００２４】
請求項１１に記載の発明は、請求項１〜９いずれか１項記載の記録／再生装置において、作用点を記録ディスク面上において対称位置にあるように設定したことを特徴とし、この構成によって、記録ディスクに対してバランスの取れた安定化がなされることになる。
【００２５】
請求項１２に記載の発明は、請求項１〜９いずれか１項に記載の記録／再生装置において、安定化部材を装置本体における筐体に設置したことを特徴とし、この構成は、カートリッジを用いないか、あるいはカートリッジから記録ディスクを取り出して駆動する構成の各記録／再生装置に実施する場合に有効である。
【００２６】
請求項１３に記載の発明は、請求項１２記載の記録／再生装置において、安定化部材と記録ディスクの回転中心部分を保持する保持部材との相対位置を固定したことを特徴とし、この構成によって、記録／再生手段の走査に関わらず、安定化部材の記録ディスクに対する作用位置を一定にすることができる。
【００２７】
請求項１４に記載の発明は、請求項１〜９のいずれか１項記載の安定化部材以外に安定化部材が設置された場合、請求項１〜９のいずれか１項記載のように設定された安定化部材にて前記記録ディスクから受ける対向力が、全ての安定化部材の中で最大となるようにしたことを特徴とし、この構成によって、安定化部材をディスク面に多数散在させた場合においても、請求項１〜９の前記作用効果を確保することができる。
【００２８】
請求項１５に記載の発明は、可撓性を有する記録ディスクが収納され、該記録ディスクの回転時、安定化部材による空気力学的な力を利用して少なくとも記録／再生位置付近における前記記録ディスクの面ぶれを抑制する安定化部材を備えたディスクカートリッジにおいて、前記記録ディスクの面内を、記録／再生ヘッドが走査する動線に近接し、かつ前記記録ディスクの中心付近を通る直線Ｚによって分けた２つの領域に、それぞれ前記安定化部材による空気力学的な力の作用点を少なくとも１つ存在させたことを特徴とし、この構成によって、ディスクカートリッジに安定化部材を個別に設けることにより、前記各請求項に係る発明の作用効果を、記録／再生装置側の構成を簡略化して得ることが可能になる。
【００２９】
請求項１６に記載の発明は、可撓性を有する記録ディスクが収納され、該記録ディスクの回転時、安定化部材による空気力学的な力を利用して少なくとも記録／再生位置付近における前記記録ディスクの面ぶれを抑制する安定化部材を備えたディスクカートリッジにおいて、前記記録ディスクの面内を、記録／再生ヘッドが走査する動線に近接し、かつ該記録ディスクの中心付近を通る直線Ｚを起点として、略４５度間隔で８つの領域（Ａ，Ｂ，Ｃ，Ｄ，Ｅ，Ｆ，Ｇ，Ｈ）に分け、前記起点から略４５度〜略９０度の領域Ｂ内および前記起点から略９０度〜略１３５度の領域Ｃ内と、前記起点から略２２５度〜略２７０度の領域Ｆ内および前記起点から略２７０度〜略３１５度の領域Ｇ内の前記記録ディスクが可撓性を呈する部位に、それぞれ安定化部材による空気力学的な力の作用点を少なくとも１つ存在させたことを特徴とし、この構成によって、ディスクカートリッジに安定化部材を個別に設けることにより、前記各請求項に係る発明の作用効果を、記録／再生装置側の構成を簡略化して得ることが可能になる。
【００３０】
請求項１７に記載の発明は、請求項１６記載のディスクカートリッジにおいて、安定化部材を内壁に設けたことを特徴とし、この構成によって、ディスクカートリッジに安定化部材を個別に設定することができることから、様々なディスク仕様ごとに安定部材を個々に設計することが容易になって、ディスク仕様のばらつきによる安定化条件のずれを補正することが容易になる。
【００３１】
請求項１８に記載の発明は、請求項１６または１７記載のディスクカートリッジにおいて、安定化部材の位置を調整可能にしたことを特徴とし、この構成によって、ディスク仕様に応じて、安定化部材を適正位置に配置することが可能となる。
【発明の効果】
【００３２】
本発明に係る記録／再生装置およびディスクカートリッジによれば、記録／再生ヘッドがスキャンするディスク半径方向のディスク形状を直線状にすると共に、同直線領域におけるディスク面ぶれを安定化することができる。これにより、小さなディスク面ぶれを確保しつつも、記録／再生ヘッドの半径方向の動線をディスク基準面に近い範囲に限定することができ、動作機構の簡略化を図ることができるなど、可撓性を有する記録ディスクを用いる記録／再生装置の提供を実現することができる。
【発明を実施するための最良の形態】
【００３３】
以下、本発明の実施の形態を図面を参照して説明する。
【００３４】
図１は本発明の記録／再生装置の実施形態１を説明するための要部の平面図、図２は図１の記録／再生装置の正面図であり、１は可撓性を有する記録ディスクである光ディスク、２は光ディスク１の回転中心（中央）部分に装着された光ディスク１を回転させるために保持する一方の保持部材であるハブ、３は他方の保持部材であるチャッキング部をハブ２に嵌合して光ディスク１を回転駆動するスピンドルモータ、４は、光ディスク１の半径方向に移動して光ディスク１に対して光ビームを集光させ、情報の記録／再生処理を行うため光ディスク１に対して光走査（動線Ｒ方向）を行う記録／再生ヘッドとしての光ピックアップである。
【００３５】
さらに、６は、空気力学的作用力を利用して、光ディスク１に対して面ぶれを抑制するために作用する安定化部材であって、光ディスク１の記録面とは反対側のディスク基板側に配設されている。安定化部材６は、光ディスク１の面内を光ピックアップ４が走査するために移動する動線Ｒと近接し、かつ光ディスク１の中心付近を通る直線（図では動線Ｒ上に記載したが、動線Ｒ近傍にあるものも含む）Ｚによって分けた２つの領域Ｓ１，Ｓ２の両方に、それぞれ一つずつ対称位置に配設している。
【００３６】
次に実施形態１の動作について説明する。
【００３７】
実施形態１のように、安定化部材６と可撓性を有する光ディスク１を基本構成とする記録／再生装置においては、ディスク面の振動を安定化部材６により抑制し、安定化することに大きな特徴がある。
【００３８】
このような安定化現象に関して各種実験を行い考察を行ったところ、任意の安定化部材によりディスク面に空気力学的な力を作用させた際には、該安定化部材におけるディスク回転方向の上下流のほぼ±９０度付近のディスク面がディスクを理想平面と考えた場合のディスク基準面付近に近づくと共に、その半径方向の形状が略直線状になり、また同位置においてディスク面ぶれの抑制効果が得られることが明らかになった。
【００３９】
また、この際、前記安定化部材をディスク回転軸を挟んだ位置に少なくとも一つずつ配設することにより、ディスク半径方向の形状の直線性、およびディスク面ぶれの抑制効果がより向上することを見出した。
【００４０】
そこで、実施形態１では、安定化部材６により可撓性を有する光ディスク１を安定化した際に、安定化部材６から９０度ずれた位置を走査するように光ピックアップ４を配設する構成として、安定化部材６によって得られる、９０度ずれた位置におけるディスク形状の直線化効果、およびディスク面ぶれの抑制効果を利用して、容易かつ安定に記録／再生動作を行える構成とした。
【００４１】
実施形態１の構成では、安定化部材６の作用により、光ピックアップ４が走査する任意ディスク半径方向のディスク形状を概略直線状とすると共に、同位置でのディスク面ぶれ低減効果が得られた。これにより、光ピックアップ４を走査する位置を容易に特定することができ、簡易的な制御動作により所望位置への記録／再生を安定に行うことができた。
【００４２】
実施形態１においては、図３に示す光ピックアップの要部断面図のように、光ピックアップ４の光ディスク１に対する対向面Ｓを凸状とすることにより、光ディスク１に対して、正圧を基本とした空気力学的な力を作用させることが可能であった。これにより、記録／再生を行う位置におけるディスク面ぶれ低減効果を、光ピックアップ４により直接作用させ、記録／再生位置におけるディスク面ぶれを小さくすることができた。この光ピックアップ４の構成において、少なくともディスク円周方向の形状が凸状であればよい。なお、図３において、５は対物レンズである。
【００４３】
また、実施形態１の構成の安定化部材６によれば、光ディスク１の静的な反り形状などには関わらず、いかなる仕様の記録ディスクにおいても、記録／再生位置におけるディスク面ぶれ抑制効果を得ることができることを確認できた。
【００４４】
実施形態１において、図１に例示して示すように、光ディスク１のハブ２をスピンドルモータ３のチャッキング部に固定して、安定化部材６側を押して撓ませた場合に光ディスク１において撓みが始まる支点位置（図１ではハブ２の外周）を結んだ領域（図１では円形領域）と直線Ｚとが交差する２点を通り、かつ該直線Ｚに垂直な２つの直線、すなわち光ピックアップ４に近い側の直線Ｂ１と遠い側の直線Ｂ２とにより挟まれたディスク面上の領域Ｃに、安定化部材６による光ディスク１に対する空気力学的な力の作用点２１を配置する構成にすることが有効であった。
【００４５】
この構成によれば、安定化部材６が光ディスク１に作用する力によって、光ピックアップ４が走査する任意のディスク半径方向のディスク形状を概略直線状とするとともに、同位置（ディスク面の面ぶれが安定するディスク基準面となる領域Ｈ）でのディスク面ぶれ低減効果を得ることができた。
【００４６】
なお、例えば図４に示すように、実施形態１において特定された安定化部材６以外に安定化部材７を光ディスク１に対して多数散在設置させることが考えられるが、この場合においては、実施形態１における安定化部材６が光ディスク１から受ける対向力が、ディスク面上に配置された安定化部材６，７の中で最大となるようにすることにより、所望の効果を確保することができる。
【００４７】
図５は本発明の記録／再生装置の実施形態１の変形例を説明するための要部の平面図、図６は図５の変形例の正面図であり、本例のように、光ディスク１のハブ２をスピンドルモータ３のチャッキング部に固定して、安定化部材６側を押して撓ませた場合に光ディスク１において撓みが始まる支点位置（図５ではハブ２の外周）を結んだ周部（図５では円形領域）と直線Ｚとが交差する２点を通り、かつ該直線Ｚに垂直な２つの直線、すなわち光ピックアップ４に近い側の直線Ｂ１と遠い側の直線Ｂ２とにより挟まれたディスク面上の領域Ｃにおいて、光ピックアップ４に近い側の直線Ｂ１近傍に、安定化部材６の作用点２１を配置した構成が有効であった。
【００４８】
図５，図６の構成によって、既述した効果に加えて、光ピックアップ４の位置におけるディスク面ぶれをより低減することができた。なお、図５に示す構成においても、安定化部材６以外に安定化部材を光ディスク１に対して多数散在設置させる場合には、前記安定化部材６が光ディスク１から受ける対向力が、ディスク面上に配置される安定化部材の中で最大となるようにすることにより、所望の効果を確保することができる。
【００４９】
特に、図５に示す構成において、２つの領域Ｓ１，Ｓ２にそれぞれ存在する少なくとも１つずつの安定化部材６が対をなし、安定化部材６によるディスク面に対する力の作用点２１を前記直線Ｂ１あるいはＢ２の平行線上に配置する構成とすることにより、光ピックアップが走査する位置でのディスク半径方向におけるディスク形状の直線性を高めることができ、光ピックアップ４の駆動制御機構の簡略化を図ることができた。
【００５０】
また、前記安定化部材の形状は、ディスク対向面が円弧状をなす円柱形状のものに限らず、例えば図７の平面図および図８の正面図に示すように、半円状の平板材からなる安定化部材８を使用して、光ディスク１の面内において、光ピックアップ４が走査するために移動する動線Ｒ近傍を除いて（ディスク面の面ぶれが安定するディスク基準面となる領域Ｈ）、前記のように光ディスク１の中心付近を通る直線Ｚによって分けた２つの領域Ｓ１，Ｓ２を覆うように配設する構成にすることも考えられる。
【００５１】
図９は本発明の記録／再生装置の実施形態２を説明するための要部の平面図、図１０は図９の記録／再生装置の正面図である。なお、以下の説明において、図１〜図８にて説明した部材に対応する部材には同一符号を付して説明する。
【００５２】
図９，図１０において、１は可撓性を有する記録ディスクである光ディスク、２は光ディスク１の回転中心（中央）部分に装着された光ディスク１を回転させるために保持する一方の保持部材であるハブ、３は他方の保持部材であるチャッキング部をハブ２に嵌合して光ディスク１を回転駆動するスピンドルモータ、４は、光ディスク１の半径方向に移動して光ディスク１に対して光ビームを集光させ、情報の記録／再生処理を行うため光ディスク１に対して光走査（動線Ｒ方向）を行う記録／再生ヘッドとしての光ピックアップである。
【００５３】
さらに、６は、光ディスク１に対して空気力学的作用力を作用させて、面ぶれを抑制する安定化部材であって、光ディスク１の記録面とは反対側のディスク基板側に配設されている。また、光ディスク１の面内を光ピックアップ４が走査するために移動する動線Ｒと近接し、かつ光ディスク１の中心付近を通る直線（図では動線Ｒ上に記載したが、動線Ｒ近傍にあるものも含む）Ｚを起点として、略４５度間隔で８つの領域（Ａ，Ｂ，Ｃ，Ｄ，Ｅ，Ｆ，Ｇ，Ｈ）に分けて、前記起点から略４５度〜略９０度の領域Ｂ内、前記起点から略９０度〜略１３５度の領域Ｃ内、前記起点から略２２５度〜略２７０度の領域Ｆ内、及び前記起点から２７０度〜略３１５度の領域Ｇ内に、それぞれ安定化部材６による空気力学的な力の作用点２１を少なくとも１つ存在させるようにしている。
【００５４】
以下、実施形態２の動作について説明する。
【００５５】
実施形態２のように、安定化部材６と可撓性を有する光ディスク１を基本構成とする記録／再生装置においては、ディスク面の振動を安定化部材６により抑制し、安定化することに大きな特徴がある。
【００５６】
この安定化現象に関して各種実験を行い考察を行ったところ、実施形態１と同様に、任意の安定化部材によりディスク面に空気力学的な力を作用させた際には、該安定化部材におけるディスク回転方向の上下流のほぼ±９０度付近のディスク面がディスクを理想平面と考えた場合のディスク基準面付近に近づくと共に、その半径方向の形状が略直線状になり、また同位置においてディスク面ぶれの抑制効果が得られることが明らかになった。
【００５７】
この現象において、ディスク面上に直線状の領域を形成するための必要条件に関して、鋭意検討したところ、力を作用させる点と直線状になる領域には一定の関係があることを見出した。その結果として、実施形態２のように、ディスク面上を既述したようにＡ〜Ｈの８領域に分割し、安定化部材を作用させる領域を任意の組み合わせで指定することにより、光ピックアップ４の動線（走査動線）Ｒ上の光ディスク１の形状を直線状にすると共に、同直線位置における面ぶれ低減効果を実現することができたのである。
【００５８】
力学的には、光ディスク１の中心を支点として力を作用させた場合のディスク形状変形の問題として捉えられ、結果として、直線Ｚ上のディスク形状を直線化するための力の作用点としては、実施形態２における領域Ｂ，Ｃ、あるいはＦ，Ｇ、あるいはその全ての組み合わせに限られる。この力学的な変形現象は静止状態のみならず、光ディスク１を回転させて安定化部材６を作用させた場合にも成り立つという結論を得た。
【００５９】
実施形態２の構成では、安定化部材６の作用により、光ピックアップ４が走査する任意ディスク半径方向のディスク形状を概略直線状とするとともに、同位置でのディスク面ぶれ低減効果が得られた。これにより、光ピックアップを走査する位置を容易に特定でき、簡易的な制御動作により所望位置への記録再生を、安定に行うことができた。
【００６０】
実施形態２においては、実施形態１と同様に、図３に示すように、光ピックアップの光ディスク１に対する対向面を凸状とすることにより、ディスクに対して、正圧を基本とした空気力学的な力を作用させることが可能であった。これにより、記録／再生を行う位置におけるディスク面ぶれ低減効果を、光ピックアップ４により直接作用させ、記録／再生位置におけるディスク面ぶれを小さくすることができた。この構成においては、少なくともディスク円周方向の形状が凸状であればよかった。
【００６１】
また、安定化部材６によれば、光ディスク１の静的な反り形状などには関わらず、いかなる仕様の記録ディスクにおいても、記録／再生位置におけるディスク面ぶれ抑制効果を得ることができた。
【００６２】
なお、例えば図１１に示すように、本実施形態において特定された安定化部材６以外に安定化部材６’を光ディスク１に対して多数散在設置させることが考えられるが、この場合においては、前記安定化部材６が光ディスク１から受ける対向力が、ディスク面上に配置された安定化部材６，６’の中で最大となるようにすることにより、所望の効果を確保することができる。
【００６３】
また、実施形態２においては、図１２，図１３に示す変形例のように、領域Ｂに存在する安定化部材６による空気力学的な力の作用点２１を領域Ａ，Ｂの境界線近傍に配置し、かつ領域Ｇに存在する安定化部材６による空気力学的な力の作用点を領域Ｇ，Ｈの境界線近傍に配置する構成にすることが有効であった。
【００６４】
この構成にすることにより、安定化部材６によって、光ディスク１の前記直線Ｚ方向のディスク形状をディスク基準面近傍で直線化することができる効果に加えて、安定化部材６を主安定化部材５に近づけることにより、ディスク面ぶれの低減効果をも向上させることが可能となった。
【００６５】
また、実施形態２においては、安定化部材６による領域Ｂ内の作用点２１と領域Ｇ内の作用点２１とを、直線Ｚを挟んで対象な位置に配置し、さらに安定化部材６による領域Ｃ内の作用点２１と領域Ｆ内の作用点２１とを、直線Ｚを挟んで対象な位置に配置することがより有効であった。
【００６６】
前記のように作用点２１を直線Ｚを挟んで対象な位置に配置する構成にすることにより、安定化部材６をディスク面に作用させた際の、直線Ｚ方向のディスク形状の直線性を高めるとともに、バランス良くディスク振動の安定化を図ることが可能となった。
【００６７】
さらに実施形態２においては、安定化部材６による領域Ｂ内の作用点２１と領域Ｃ内の作用点２１とを結んだ直線が直線Ｚと平行となり、かつ領域Ｆ内の作用点２１と領域Ｇ内の作用点２１とを結んだ直線が直線Ｚと平行となるように、各作用点２１を配置する構成が有効であった。
【００６８】
前記のように各作用点２１を結んだ直線が直線Ｚと平行となるように構成することにより、安定化部材６をディスク面に作用させた際の直線Ｚ方向におけるディスク形状の直線性をより高めることが可能となった。
【００６９】
前記各実施形態は、前記安定化部材６（６’，７，８）を、図１４に例示するように、装置本体の筐体１０に設けることにより、光ディスクを収納するディスクカートリッジを用いないか、あるいはディスクカートリッジから光ディスクを取り出して駆動する記録／再生装置において実施することができる。
【００７０】
このような構成にして、安定化部材６（６’，７，８）とスピンドルモータ３との相対位置を固定することにより、光ピックアップ４の走査に関わらず、安定化部材６の光ディスク１に対する作用点の位置を一定にすることができる。
【００７１】
また、前記各実施形態における安定化部材６（６’，７，８）は、図１５に示すように、ディスクカートリッジ１１の内壁に設けることも可能であり、このように構成することにより、記録／再生装置側の構成を簡略化することができる。さらに、この構成においては、ディスクカートリッジ１１に安定化部材６を個別に設定することができることから、様々なディスク仕様ごとに安定部材６を個々に設計可能となり、ディスク仕様のばらつきによる安定化条件のずれを補正することまでもが可能となる。
【００７２】
ディスクカートリッジ１０としては、例えば図１６，図１７に示す構成のものを例示することができる。図１６，図１７において、１３は、光ピックアップ４およびスピンドルモータ３の一部が挿入され、かつ光ピックアップ４をディスク半径方向に移動可能にするための通孔部である。なお、前記通孔部１３を開閉するためのシャッタ、あるいはカートリッジ内で光ディスク１を固定するための機構、さらにカートリッジをスピンドルモータ３に設置する際に必要なその他の機構などに関しては図示していない。
【００７３】
前記実施形態においては、安定化部材６を、光ディスク１を挟んで光ピックアップ４と反対側に配置する構成例を説明したが、例えば図１８に示すように、安定化部材６を光ピックアップ４と同じ側に配置しても同様の効果が得られる。
【００７４】
また、前記実施形態においては、安定化部材をディスク面に対して押し込んで作用させる構成を例に挙げて説明したが、例えば、図１９に示すように、安定化部材６をディスクを引きつける形で作用させる構成としても、同様の効果が得られる。このような光ピックアップと安定化部材とにおけるディスクに対する作用上の配置などには、種々の組み合わせが考えられ、特に前記実施形態の構成に限定されない。
【００７５】
次に、本発明をより具体的に実施例に基づいて説明する。
【００７６】
（実施例１）
実施例１において、図１，図２に示す構成を採用しており、安定化部材６は、光ディスク（直径１２０ｍｍ）１に対向する面を曲率半径２００ｍｍとした直径４０ｍｍの円柱状の形状とした。また安定化部材６は、光ピックアップ４よりもディスク回転方向上下流の９０度位置で、ディスク対向面の中心が光ディスク１の半径４５ｍｍの位置となるように配置した。
【００７７】
この際の安定化部材６のディスク面への押し込み量は、ディスク基準面を基準として５ｍｍとした。なお、ここでのディスク基準面とは、ディスクが理想的に平坦であると仮定した場合の安定化部材６側のディスク面のことである。また、安定化部材６は表面の頂点位置(空気力学的な力の作用点)を回転中心として、ディスク半径方向に１０度傾けた。
【００７８】
また、光ピックアップ４は、図３に示す構成で、対物レンズ５を除く面の形状を曲率半径２００ｍｍの球面とし、中心に直径３ｍｍ、表面曲率半径１５ｍｍ、ＮＡ０．８５の対物レンズ５を埋め込んだ形とし、最終的な光ピックアップ４の表面の平均曲率半径は１８０ｍｍとした。また、光ピックアップの光ディスク対向面の大きさは直径１５ｍｍとした。なお、光ピックアップ４のフォーカスサーボ動作は、対物レンズ５とレーザ光源の間に配置した可動エキスパンダーレンズに担わせた。なお、光ピックアップ４のワーキングディタンスは１００μｍとした。
【００７９】
また、実施例１では、ディスク基板として１２０ｍｍ，厚さ７５μｍのポリカーボネイト製シートを用いた。ディスクを準備するにあたっては、まず、前記シートに、熱転写でスタンパのピッチ０．６μｍ，幅０．３μｍのグルーブを転写し、その後、スパッタリングによりシート／Ａｇ反射層  １２０ｎｍ／（ＺｒＯ２−Ｙ２Ｏ３）−ＳｉＯ２  ７ｎｍ／ＡｇＩｎＳｂＴｅＧｅ  １０ｎｍ／ＺｎＳ−ＳｉＯ２  ２５ｎｍ／Ｓｉ３Ｎ４  １０ｎｍの順番に成膜した。情報記録領域は内周直径４０ｍｍから外周直径１１８ｍｍまで（半径２０ｍｍ〜５８ｍｍ）の範囲に設定した。その後、ＵＶ樹脂をスピンコートし、紫外線照射で硬化させて厚さ５μｍの透明保護膜を形成した。また、逆側の面には１０μｍ厚のハードコートを施した。なお、ディスク中心部には外形直径３０ｍｍ，内径直径１５ｍｍ、厚み０．３ｍｍのハブ２を取り付けた。
【００８０】
前記光ディスク１を１５ｍ／ｓｅｃのディスク回転数で回転させ、光ピックアップ４の焦点位置のディスク面ぶれを、光ピックアップ４とはディスクを挟んで逆側に配置したレーザ変位計により評価した。なお、評価半径位置は２５ｍｍ，４０ｍｍ，５５ｍｍの３点とした。また、同評価位置において、ディスク基準面からのディスク面位置のずれ(ディスク回転軸方向)を計測し、光ピックアップ４をディスク半径方向に走査する際の動作制御の簡易性を見積もった。
【００８１】
（実施例２）
実施例２では、図５，図６に示す構成を採用しており、図において、２１は安定化部材６による空気力学的な力の作用点、２２は安定化部材６と光ディスク１の近接領域である。安定化部材６は、光ディスク１に対向する面を曲率半径２００ｍｍとした直径４０ｍｍの円柱状の形状とし、光ピックアップ４のディスク回転方向の上下流にそれぞれ１つずつ配置した。そのディスク面内の配置は、安定化部材６による空気力学的な力の作用点２１が境界線Ｂ１付近で、かつディスク半径４５ｍｍとなるように配置した。また、そのディスク回転軸方向の配置は、ディスク基準面を基準としてディスク面に５ｍｍ押し込んだ位置とし、かつ空気力学的な力の作用点２１を回転中心として、ディスク半径方向に１０度傾けた。
【００８２】
光ピックアップと光ディスク１は実施例１と同様のものを用い、評価条件および評価項目なども実施例１と同様とした。
【００８３】
（実施例３）
実施例３では、図７，図８に示す構成を採用しており、安定化部材８は光ディスク１を覆う半円状の平板とした。そのディスク回転軸方向の配置は、ディスク半径４５ｍｍ位置において、ディスク基準面を基準としてディスク面に５ｍｍ押し込んだ位置とし、かつディスク半径方向に１０度傾けた構成とした。
【００８４】
光ピックアップと光ディスク１は実施例１と同様のものを用い、評価条件および評価項目なども実施例１と同様とした。
【００８５】
（実施例４）
実施例４において、図９，図１０に示す構成を採用しており、安定化部材６は、光ディスク（直径１２０ｍｍ）１に対向する面を曲率半径２００ｍｍとした直径４０ｍｍの円柱状の形状とした。また安定化部材６は、光ピックアップ４よりもディスク回転方向上下流側の略６０度および略１２０度の位置にそれぞれ設置(合計４個)し、ディスク対向面の中心が光ディスク１の半径４５ｍｍの位置となるように配置した。この際の安定化部材６のディスク面への押し込み量は、ディスク基準面を基準として５ｍｍとした。なお、ここでのディスク基準面とは、ディスクが理想的に平坦であると仮定した場合の安定化部材６側のディスク面のことである。また、安定化部材６は表面の頂点位置(空気力学的な力の作用点)を回転中心として、直線Ｚと垂直方向に１０度(図２に示す方向)傾けた。
【００８６】
光ピックアップと光ディスク１は実施例１と同様のものを用い、評価条件および評価項目なども実施例１と同様とした。
【００８７】
（実施例５）
実施例５では、図１２，図１３に示す構成を採用しており、図において、２１は安定化部材６による空気力学的な力の作用点、２２は安定化部材６と光ディスク１の近接領域である。本実施例においては、実施例１の安定化部材６の配置を基準にして、領域Ｂ及びＧ内の安定化部材６の配置を直線Ｚに沿って、領域Ａ及びＨ方向にずらし、領域Ｂ内における安定化部材６の作用点２１が領域Ａ，Ｂの境界域の領域Ｂ側、また領域Ｇ内における安定化部材６の作用点２１が領域Ｇ，Ｈの境界域の領域Ｇ側に位置させた。なお、安定化部材６の形状は実施例１と同様とした。この際の安定化部材６のディスク面への押し込み量は、ディスク基準面を基準として５ｍｍとした。また、安定化部材６は表面の頂点位置(空気力学的な力の作用点)を回転中心として、直線Ｚと垂直方向に１０度(図１３に示す方向)傾けた。
【００８８】
光ピックアップと光ディスク１は実施例１と同様のものを用い、評価条件および評価項目なども実施例１と同様とした。
【００８９】
（実施例６）
実施例６では、図１８に示す構成を採用した。本実施例は、実施例１と光ピックアップ４の位置が異なるだけで、他の構成は同様とした。なお、光ピックアップ４の位置の変更に伴い、光ディスク１も表裏を逆にした。
【００９０】
光ピックアップと光ディスク１は実施例１と同様のものを用い、評価条件および評価項目なども実施例１と同様とした。
【００９１】
（比較例）
本比較例は、図２０，図２１に示すように、安定化部材６のみを１つだけ配設し、かつ安定化部材とはディスクを挟んだ逆側に光ピックアップ４を配置した構成である。安定化部材６は、光ディスク１に対向する面を曲率半径１００ｍｍとした直径１０ｍｍの円柱状の形状とした。安定化部材６にはディスク半径方向の移動機構とディスク回転軸方向の位置制御機構を具備させ、任意半径位置において、ディスク回転軸方向の押し込み量によりディスク面ぶれを調整するようにした。
【００９２】
光ディスク１は実施例１と同様のものを用い、評価条件および評価項目なども、レーザー変位計の配置位置を除いて、実施例１と基本的に同様とした。「ディスク面ぶれ」と「ディスク面ぶれ中心位置のディスク基準面からのずれ量」の評価においては、光ピックアップをレーザー変位計と置き換えることにより対応した。
【００９３】
各実施例と比較例とにおいて、任意ディスク半径位置のディスク面ぶれと、ディスク面ぶれ中心のディスク基準面からのずれ量(ディスク回転軸方向)は図２２に示す結果になった。図２２に示すように、各実施例においては、１０μｍを切る良好なディスク面ぶれが得られているのに加え、ディスク回転軸方向のディスク面位置のディスク基準面からのずれは、極めて小さく、ディスク基準面に沿った良好な直線性が得られていることが確認された。比較例においては、安定化部材とディスクの力の釣り合い条件を達成するために、該安定化部材をディスク面に対して大きく押し込む必要があり、光ピックアップで走査すべきディスク面位置がディスク基準面から大きくずれてしまったことと比較すると、光ピックアップの動作簡略化面での効果は絶大であった。
【００９４】
一方、実施例１の構成を代表として、実施例１で示したディスク仕様のうち、ハードコート膜厚を０〜２０μｍ間で変化させることにより、ディスクの反りの状態を光ピックアップに対して凹から凸形状に変化するようにしてディスク仕様を変化させたサンプルを準備した。また実施例１のディスク仕様を基準として、ディスク部材となるポリカーボネイトの膜厚を５０〜１２０μｍ間で変化させたサンプルを準備した。これら様々なディスク仕様の変化にも関わらず、安定化部材６の効果により、いずれのディスク仕様においても同様の結果が得られた。
【００９５】
また、安定化部材６のディスク基準面からの押し込み量は、各ディスクの反りの状態に応じて、０〜７ｍｍの範囲で適宜調整した。この安定化部材６の適正な条件調整はディスク仕様ごとに異なったが、図１５〜図１７に示すように、安定化部材６をディスクカートリッジ１１の内壁に設けるようにし、収納するディスク仕様ごとにディスクカートリッジ１１の内壁の安定化部材６の配置条件を調整することにより、記録／再生装置側においてディスク仕様を意識せずとも所望の条件でディスク面ぶれが低減することになる。
【００９６】
例えば前記配置条件の調整に関しては、ディスクカートリッジ１１において安定化部材６の位置を調整して配設することを可能な構造としておくことにより、容易に対応することができた。あるいはディスクカートリッジの生産にあたっては、カートリッジ成形用金型における安定化部材成形部位をディスク仕様に応じて移動できるようにしておくことにより、金型代のコストを増大させることなく、様々なディスク仕様に対応したディスクカートリッジを製作することができる。
【００９７】
上述したように本実施形態，本実施例では、空気力学的な力を作用させる安定化部材の簡単な構成によって、記録／再生位置における良好なディスク面ぶれの低減を実現し、記録／再生ヘッドである光ピックアップの記録／再生位置への位置調整を容易に行うことが可能な記録／再生装置を提供することができる。
【産業上の利用可能性】
【００９８】
本発明は、可撓性を有する記録ディスク、例えば相変化メモリ，光磁気メモリ，ホログラムメモリなどのディスク状の記録ディスクに対して記録および／または再生処理を行う記録／再生装置、およびその記録ディスクを収納するディスクカートリッジに適用され、特に空気力学的な力を作用させる安定化部材の簡単な構成によって、記録／再生位置における良好なディスク面ぶれの低減を実現する記録／再生装置およびディスクカートリッジに実施して有効である。
【図面の簡単な説明】
【００９９】
【図１】本発明の記録／再生装置の実施形態１を説明するための要部の平面図
【図２】図１の実施形態１の正面図
【図３】本実施形態における光ピックアップの要部断面図
【図４】本発明の記録／再生装置の実施形態１の変形例を説明するための要部の平面図
【図５】本発明の記録／再生装置の実施形態１の他の変形例を説明するための要部の平面図
【図６】図５の変形例の正面図
【図７】本発明の記録／再生装置の実施形態１の他の変形例を説明するための要部の平面図
【図８】図７の変形例の正面図
【図９】本発明の記録／再生装置の実施形態２を説明するための要部の平面図
【図１０】図９の実施形態２の正面図
【図１１】本発明の記録／再生装置の実施形態２の変形例を説明するための要部の平面図
【図１２】本発明の記録／再生装置の実施形態２の他の変形例を説明するための要部の平面図
【図１３】図１２の変形例の正面図
【図１４】本実施形態の記録／再生装置における安定化部材の設置例を示す断面図
【図１５】本発明の実施形態であるディスクカートリッジを説明するための断面図
【図１６】本実施形態のディスクカートリッジの平面図
【図１７】図１６のディスクカートリッジの断面図
【図１８】本実施形態の光ピックアップの設置例を示す正面図
【図１９】本実施形態における光ピックアップと安定化部材との他の配置例を示す正面図
【図２０】本発明の実施例との比較例における構成を説明するための平面図
【図２１】図１９の比較例の正面図
【図２２】本発明の実施例と比較例とのおける特性評価一覧を示す図
【符号の説明】
【０１００】
１  光ディスク
２  ハブ
３  スピンドルモータ
４  光ピックアップ
６，６’，７，８  安定化部材
１０  装置本体の筺体
１１  ディスクカートリッジ
Ｚ  光ピックアップ動線の延長線
Ｂ１，Ｂ２  光ピックアップ動線とハブの外形とが交差する点を通る垂線
Ｃ  Ｂ１とＢ２との間のディスク面上の領域
Ｈ  面ぶれが抑制されたディスク基準面（理想平面）に近い範囲
Ｒ  光ピックアップ動線
Ｓ１，Ｓ２，Ａ〜Ｈ  領域
【図１】
2005259278.tif 000003
【図２】
2005259278.tif 000004
【図３】
2005259278.tif 000005
【図４】
2005259278.tif 000006
【図５】
2005259278.tif 000007
【図６】
2005259278.tif 000008
【図７】
2005259278.tif 000009
【図８】
2005259278.tif 000010
【図９】
2005259278.tif 000011
【図１０】
2005259278.tif 000012
【図１１】
2005259278.tif 000013
【図１２】
2005259278.tif 000014
【図１３】
2005259278.tif 000015
【図１４】
2005259278.tif 000016
【図１５】
2005259278.tif 000017
【図１６】
2005259278.tif 000018
【図１７】
2005259278.tif 000019
【図１８】
2005259278.tif 000020
【図１９】
2005259278.tif 000021
【図２０】
2005259278.tif 000022
【図２１】
2005259278.tif 000023
【図２２】
2005259278.tif 000024